(57)【要約】【課題】原材料の使用量を削減し、合理的な配置と裁断及び組立工数の削減を可能にすると共に、デッキボードへの接着面積を大きくして、強度向上と低コスト化を同時に満足させることができる紙製パレット用桁材を提供すること。【解決手段】段ボール板紙で一連に折り曲げ可能に構成され、両端片１ａ、１ｆを除く４片１ｂ〜１ｅで平面形状が矩形枠４を形成するように折り曲げられると共に、前記両端片１ａ、１ｆが前記矩形枠４内で合掌状態に重ね合わされて対角片５の一方を形成するように折り曲げ配置された６片１ａ〜１ｆからなる連鎖状縦桟１と、連鎖状縦桟１の矩形枠４内に前記対角片５に対してクロス状の対角片６を形成するように差し込み係止された係止用縦桟２と、矩形枠４の上下両端開口部７を全面的に被覆してデッキボード８、９への接着面を形成させるためのカバーシート３とで構成されている。【選択図】図１
2007223634.tif 000002
【特許請求の範囲】
【請求項１】
各片が段ボール板紙で同一方向に一連に且つ折り曲げ可能に構成され、かつ、各片が両端片を除く４片で平面形状が矩形枠を形成するように折り曲げられると共に、前記両端片が前記矩形枠内で合掌状態に重ね合わされて対角片の一方を形成するように折り曲げ配置された６片からなる連鎖状縦桟と、
この連鎖状縦桟の矩形枠内に前記対角片に対してクロス状の対角片を形成するように差し込み係止され、前記連鎖状縦桟を矩形枠の形状に係止保持させるための係止用縦桟と、
前記連鎖状縦桟及び係止用縦桟によって形成された矩形枠の上下両端開口部を全面的に被覆してデッキボードへの接着面を形成させるために、前記矩形枠の上下両端開口部を含む４面に一連に巻き付けられ、この巻き付け方向両端を重合して糊付け接合されているカバーシートとで構成されていることを特徴とする紙製パレット用桁材。
【請求項２】
前記連鎖状縦桟及び係止用縦桟は、段ボール板紙の波形状の中芯の段に平行な方向が高さ方向として同じ高さで裁断されていることを特徴とする請求項１に記載の紙製パレット用桁材。
【請求項３】
前記連鎖状縦桟及び係止用縦桟は、高さ方向に２つ折りとされ、該２つ折り位置において、折り目の内側となる側の段ボール板紙のライナをヒンジ部として残し、他の中芯及びライナが前記折り目に沿ってカットされていることをことを特徴とする請求項１又は２に記載の紙製パレット用桁材。
【請求項４】
前記連鎖状縦桟及び係止用縦桟は、前記矩形枠の対角片のクロス状部分で前記高さの半分の深さで形成された切欠部同士を相互に差し込み係止させていることを特徴とする請求項１〜３の何れかに記載の紙製パレット用桁材。
【請求項５】
前記連鎖状縦桟は、長手方向の中央を対称中心として１枚の段ボール板紙素材から対称形状に裁断されていることを特徴とする請求項１〜４の何れかに記載の紙製パレット用桁材。
【発明の詳細な説明】
【技術分野】
【０００１】
本発明は、紙製パレット用桁材に関するものである。
【背景技術】
【０００２】
一般に、物流において用いられるパレットには、木製パレット、樹脂製パレット、金属製パレット及び紙製パレットがあり、このうち、紙製パレットが他のパレットに比べて軽量であり、取り扱いが容易で作業者などに怪我の心配がなく、積載重量軽減による物流コストの抑制、最適輸送効率の実現、物流資源コストの削減、廃棄処分やリサイクルが容易で環境にやさしいことなどの優れた利点があり、また、１回の使用で捨てるワンウエイ化にも最適であることから本格的な利用が展開されつつある。
【０００３】
上記紙製パレット及び桁材として、例えば、特許文献１〜２が公知である。
【特許文献１】特表平６−５０７１３９号公報（図６、図８）
【特許文献２】特開２００５−３２００４３号公報（図２、図３、図４）
【発明の開示】
【発明が解決しようとする課題】
【０００４】
上記ワンウエイ化において要求されることは、低コスト化である。この種の紙製パレットにおいて、低コスト化を実現するには、原材料の使用量を削減することであるが、原材料の使用量を削減すると、積載物重量に対する平面圧縮強度（耐圧強度）が不足する不具合がある。
従来の特許文献１の脚部（桁材）は、波形状の中芯の段に平行な方向を高さ方向として長方形に裁断した段ボール板紙を１枚のままで長手方向に６片又は９片に連鎖状に連ねた縦桟の各片を順次折り曲げて矩形枠状に巻き付けたものであるが、この特許文献１では、連鎖状の縦桟の始端片から終端片までを順次時計方向に巻き付けているだけであるため、巻き戻りを防止するために、これらの周囲に別のカバーを巻き付けて、矩形枠形状を保持させる必要がある。
【０００５】
しかも、この特許文献１では、矩形枠内部の対角片にクロスさせて別体の対角片を差し込んでいるが、この別体の対角片は、連鎖状縦桟による矩形枠の形状を保持させたものではなく、そのような言及はない。
さらに、特許文献１のカバーは、連鎖状縦桟による矩形枠の周囲に巻き付けているだけであって、このカバーは、デッキボードとの接着に全く寄与しない。
【０００６】
このため、この特許文献１では、脚部（桁材）とデッキボードとの接着面積が、矩形枠形状の周囲とＸ字形状の対角線に沿った線上だけであって、接着面積が不足し、剥離する恐れがあるといった問題点があった。
また、従来の特許文献２の桁材は、デッキボードへの接着面積は十分であるが、矩形枠の四周及びＸ字形状の対角辺を、段ボール板紙１枚の厚さに制約される欠点があり、支持強度が不足するという問題点があった。
【０００７】
本発明は、従来の紙製パレット用桁材の上記問題点に鑑みて開発されたもので、その目的とするところは、原材料の使用量を削減し、合理的な配置と裁断及び組立工数の削減を可能にすると共に、デッキボードへの接着面積を大きくして、強度向上と低コスト化を同時に満足させることができる紙製パレット用桁材を提供することを目的としている。
【課題を解決するための手段】
【０００８】
前記目的を達成するために本発明は、各片が段ボール板紙で同一方向に一連に且つ折り曲げ可能に構成され、かつ、各片が両端片を除く４片で平面形状が矩形枠を形成するように折り曲げられると共に、前記両端片が前記矩形枠内で合掌状態に重ね合わされて対角片の一方を形成するように折り曲げ配置された６片からなる連鎖状縦桟と、
この連鎖状縦桟の矩形枠内に前記対角片に対してクロス状の対角片を形成するように差し込み係止され、前記連鎖状縦桟を矩形枠の形状に係止保持させるための係止用縦桟と、
前記連鎖状縦桟及び係止用縦桟によって形成された矩形枠の上下両端開口部を全面的に被覆してデッキボードへの接着面を形成させるために、前記矩形枠の上下両端開口部を含む４面に一連に巻き付けられ、この巻き付け方向両端を重合して糊付け接合されているカバーシートとで構成されていることを特徴としている。
【０００９】
上記構成によれば、桁材の中骨となる連鎖状縦桟及び係止用縦桟は、何れも段ボール板紙で構成されているため軽量であり、しかも、６片の連鎖状縦桟の両端片を除く４片で平面形状が矩形枠を形成するように折り曲げると共に、前記両端片を前記矩形枠内で合掌状態に重ね合わて対角片の一方を形成するように折り曲げ配置したことにより、この合掌状態に重ね合わせた両端片にクロスさせて係止用縦桟を差し込むことによって、前記両端片が係止されるだけでなく、矩形枠全体の形状が整形され、この状態を係止保持させることができ、中骨の構成及び配置が合理的で、その結果、原材料の使用量を削減して強度向上と低コスト化を同時に満足することができる紙製パレット用桁材を提供することができる。なお、矩形枠状の桁材の中骨の上下両端開口部は、矩形枠状のカバーシートによって被覆されているため、上下両面のデッキボード（両面形パレット）や上面だけのデッキボード（単面形パレット）に広い面積で強固に糊付けすることが可能となる。
【００１０】
また、前記連鎖状縦桟及び係止用縦桟は、段ボール板紙の波形状の中芯の段に平行な方向が高さ方向として同じ高さで裁断されていることを特徴としている。
上記構成によれば、桁材の中骨となる連鎖状縦桟及び係止用縦桟は、段ボール板紙の波形状の中芯の段に平行な方向が高さ方向として裁断されているため上下方向の支持強度を大きくすることができる。
【００１１】
また、前記連鎖状縦桟及び係止用縦桟は、高さ方向に２つ折りとされ、該２つ折り位置において、折り目の内側となる側の段ボール板紙のライナをヒンジ部として残し、他の中芯及びライナが前記折り目に沿ってカットされていることをことを特徴としている。
上記構成によれば、連鎖状縦桟及び係止用縦桟は、高さ方向に２つ折りとされているため、裁断及び組立工数が削減できるとともに、各縦桟の厚さが段ボール板紙２枚分となり、強度が２倍以上に向上する。また、２つ折りされた２片は、一方のライナによってヒンジ部で一体に連結され個別にずれたりせず、しかも、２つ折りされた部分の小口面が折り曲げによって潰れることがなく、波形状の中芯を含めた段ボール板紙自体の本来の強度を最大限に発揮させて桁材の支持強度をアップさせることができる。
【００１２】
また、前記連鎖状縦桟及び係止用縦桟は、前記矩形枠の対角片のクロス状部分で前記高さの半分の深さで形成された切欠部同士を相互に差し込み係止させていることを特徴としている。
上記構成によれば、２つ折りされ且つ合掌状態で重ね合わされた連鎖状縦桟の両端と、同じく２つ折りされた係止用縦桟とを、同じ高さでクロス状に差し込んで組み合わすことができ、しかも、相互の切欠部によって互いに相手方の開きを抑え、その弾性反発力で抜け止め作用を生じてクロス状の組み合わせ状態を自己保持し、糊付けを省略することができる。
【００１３】
また、前記連鎖状縦桟は、長手方向の中央を対称中心として１枚の段ボール板紙素材から対称形状に裁断されていることを特徴としている。
上記構成によれば、連鎖状縦桟の板取り及び裁断が容易となり、矩形枠形状への組立も容易となる。
【発明の効果】
【００１４】
本発明によれば、原材料の使用量を削減し、合理的な配置と裁断及び組立工数の削減を可能にすると共に、デッキボードへの接着面積を大きくして、強度向上と低コスト化を同時に満足させることができる紙製パレット用桁材を提供することができる。
【発明を実施するための最良の形態】
【００１５】
以下、本発明の紙製パレット用桁材の実施形態を図面に基づいて説明する。
図１〜図５において、１は連鎖状縦桟、２は係止用縦桟、３はカバーシートを示している。
連鎖状縦桟１は、図２（Ａ）（Ｂ）に示すように、各片１ａ〜１ｆが厚めの段ボール板紙で同一方向に一連に且つ各片１ａ〜１ｆの境界部において施された折り目１ｇ〜１ｋに沿って折り曲げ可能に製作され、かつ、各片１ａ〜１ｆが両端片１ａ、１ｆを除く４片１ｂ〜１ｅで図５に示すように平面形状が矩形枠４を形成するように折り曲げられると共に、前記両端片１ａ、１ｆが前記矩形枠４内で合掌状態に重ね合わされて対角片５の一方を形成するように折り曲げ配置された６片の構成からなっている。
【００１６】
上記連鎖状縦桟１の各片の長さは、１ａ＝１ｆ＝Ｌ１、１ｂ＝１ｅ＝Ｌ２、１ｃ＝１ｄ＝Ｌ３とされ、Ｌ１は矩形枠４の内側の対角片５に対応する長さとされ、Ｌ２とＬ３は矩形枠４の縦横の辺に対応する長さとされている。このＬ２とＬ３は、同じとされていても異なって設定されていてもよい。このように、上記連鎖状縦桟１は、図２（Ａ）に示すように、長手方向の中央を対称中心として１枚の段ボール板紙素材から対称形状に板取り裁断されている。
【００１７】
また、上記連鎖状縦桟１は、図２（Ａ）（Ｂ）に示すように、高さ方向に２つ折り可能とされている。そのために、連鎖状縦桟１は、図２（Ａ）に示すように、各６片１ａ〜１ｆには、２つ折りされて矩形枠４の内側になる片１ａ’〜１ｆ’が、高さ方向に同じ高さ寸法ｈで延長して板取りされ、これらの２つ折り位置には、折り目１ｎが形成されている。
【００１８】
また、各片を２つ折りされた状態で矩形枠４に折り曲げ形成することを容易化するために、内側になる片１ａ’〜１ｆ’の長さＬ１’、Ｌ２’、Ｌ３’は、外側になる片１ａ〜１ｆの長さＬ１、Ｌ２、Ｌ３よりも短くされ、その間は、切欠部１ｐ、１ｑとされている。これらの切欠部１ｐ、１ｑの幅は、両端の切欠部１ｐが内側の３つの切欠部１ｑよりも若干広くされており、内側の３つの切欠部１ｑは、それぞれ同じ幅とされている。
【００１９】
そして、両端片１ａ、１ａ’及び１ｆ、１ｆ’の長手方向中央部には、高さ寸法ｈの半分の深さｈ／２の切欠部１ｓが形成されている。この切欠部１ｓの幅Ｌ４は、係止用縦桟２の厚さに対応したものとされ、２つ折りされる段ボール板紙の板厚の２倍の寸法とされている。
また、係止用縦桟２は、連鎖状縦桟１と同質の段ボール板紙で製作され、図１、図３、図４に示すように、上記連鎖状縦桟１の矩形枠４内に前記対角片５に対してクロス状の対角片６を形成するように差し込み係止され、前記連鎖状縦桟１を矩形枠４の形状に係止保持させるように構成されている。
【００２０】
また、上記係止用縦桟２は、図３、図４に示すように、高さ方向に２つ折り可能とされている。そのために、係止用縦桟２は、図３に示すように、２枚の片２ａ、２ｂからなり、これらは、それぞれ連鎖状縦桟１と同じ高さ寸法ｈと前記矩形枠４の内側の対角片６となる長さＬ５で板取り裁断され、各片２ａ、２ｂの境界に形成された折り目２ｃで２つ折り可能とされている。そして、各片２ａ、２ｂの長さ方向中央部には、高さ寸法ｈの半分の深さｈ／２の切欠部２ｄが形成されており、この切欠部２ｄの幅Ｌ６は、連鎖状縦桟１の両端片１ａ、１ａ’及び１ｆ、１ｆ’を合掌させた板厚に対応したものとされている。
【００２１】
前記連鎖状縦桟１及び上記係止用縦桟２は、図２（Ａ）（Ｂ）、図３、図４に示すように、前記矩形枠４の対角片５、６のクロス状部分で前記高さ寸法ｈの半分の深さで形成された切欠部１ｓ、２ｄ同士を相互に差し込み係止させている。
前記連鎖状縦桟１及び係止用縦桟２は、図６に示すように、段ボール板紙１１の波形状の中芯１２の段に平行な方向が高さ方向として同じ高さ寸法ｈで裁断されている。
【００２２】
また、前記連鎖状縦桟１及び係止用縦桟２は、該２つ折り位置の折り目１ｎ、２ｃにおいて、図６に示すように、折り目１ｎ、２ｃの内側となる側の段ボール板紙１１のライナ１３をヒンジ部１４として残し、他の中芯１２及びライナ１５が前記折り目１ｎ、２ｃに沿ってカットされた切断面としている。
このように、連鎖状縦桟１及び係止用縦桟２の高さ方向の上下両端面は、段ボール板紙の支持強度を最大限に発揮させるために、小口面が切断面とされているが、矩形枠４に折り曲げられる折り目１ｇ〜１ｋについては、切断面とせず、線状に押圧して他の部分よりも厚さを薄くして折り曲げ易くしている。
【００２３】
さらに、カバーシート３は、薄めの段ボール板紙によって製作され、図１に示すように、上記連鎖状縦桟１及び係止用縦桟２によって形成された矩形枠４の上下両端開口部７を全面的に被覆して図７に示すデッキボード８、９への広い接着面を形成させるために、前記矩形枠４の上下両端開口部７を含む４面に一連に矩形状に巻き付け可能とされた５片３ａ〜３ｅの構成からなり、この巻き付け方向両端片３ａ、３ｅを重合して糊付け接合することにより、本発明の桁材１０が構成されている。
【００２４】
上記カバーシート３の各片３ａ〜３ｅの長さは、図２（Ａ）に示した連鎖状縦桟１の矩形枠４の高さ寸法ｈと縦横寸法Ｌ２、Ｌ３に対応した寸法とを考慮した寸法とされている。また、このカバーシート３の各片３ａ〜３ｅの境界には、矩形状の折り曲げを容易とするために、線状に押圧して他の部分よりも厚さを薄くした折り目が形成されている。
本発明に係る桁材１０の実施形態は以上の構成からなり、これを図７に示すように、上下のデッキボード８、９の間に等間隔で配置して紙製パレット１６を作成する。この図７は、四方差しの両面型パレットの場合を例示しており、そのため、本発明の桁材１０は、デッキボード８、９の四隅と各辺の中央及び中心部に配置しているが、二方差しの場合には、フォークを差し込まない方向の辺には、本発明の桁材１０を辺の全長に亘って密接配置されるものであり、また、単面形パレットにも同様に適用するものである。
【００２５】
本発明の桁材１０によれば、桁材１０の中骨となる連鎖状縦桟１及び係止用縦桟２は、何れも段ボール板紙で構成されているため軽量であり、しかも、６片の連鎖状縦桟１の両端片１ａ、１ｆを除く４片１ｂ、１ｅで平面形状が矩形枠４を形成するように折り曲げると共に、前記両端片１ａ、１ｆを前記矩形枠４内で合掌状態に重ね合わて対角片５の一方を形成するように折り曲げ配置したことにより、この合掌状態に重ね合わせた両端片１ａ、１ｆにクロスさせて係止用縦桟２を差し込むことによって、前記両端片１ａ、１ｆが係止されるだけでなく、矩形枠４全体の形状が整形され、この状態を係止保持させることができ、中骨の構成及び配置が合理的で、その結果、原材料の使用量を削減して強度向上と低コスト化を同時に満足することができる紙製パレット用桁材を提供することができる。なお、矩形枠４状の桁材１０の中骨の上下両端開口部７は、矩形枠状のカバーシート３によって被覆されているため、上下両面のデッキボード８、９（両面形パレット）や上面だけのデッキボード（単面形パレット）に広い面積で強固に糊付けすることが可能となる。
【００２６】
また、前記連鎖状縦桟１及び係止用縦桟２は、段ボール板紙１１の波形状の中芯１２の段に平行な方向が高さ方向として同じ高さ寸法ｈで裁断されているため、桁材１０の上下方向の支持強度を大きくすることができる。
また、連鎖状縦桟１及び係止用縦桟２は、高さ方向に２つ折りとされているため、裁断及び組立工数が削減できるとともに、各縦桟１、２の厚さが段ボール板紙２枚分となり、強度が２倍以上に向上する。また、２つ折りされた２片は、一方のライナ１３によってヒンジ部１４で一体に連結され個別にずれたりせず、しかも、２つ折りされた部分の小口面が折り曲げによって潰れることがなく、波形状の中芯１２を含めた段ボール板紙１１自体の本来の強度を最大限に発揮させて桁材１０の支持強度をアップさせることができる。
【００２７】
また、２つ折りされ且つ合掌状態で重ね合わされた連鎖状縦桟１の両端１ａ、１ａ’、１ｆ、１ｆ’と、同じく２つ折りされた係止用縦桟２の各片２ａ、２ｂとを、同じ高さでクロス状に差し込んで組み合わすことができ、しかも、相互の切欠部１ｓ、２ｄによって互いに相手方の開きを抑え、その弾性反発力で抜け止め作用を生じてクロス状の組み合わせ状態を自己保持し、糊付けを省略することができる。
【００２８】
また、前記連鎖状縦桟１は、長手方向の中央を対称中心として１枚の段ボール板紙素材から対称形状に裁断されているため、連鎖状縦桟１の板取り及び裁断が容易となり、矩形枠４形状への組立も容易となる。
本発明の実施形態は以上からなるが、本発明は、この実施形態にのみ制約されるものではなく、特許請求の範囲に記載された事項の範囲内で適宜変更して実施することができる。例えば、連鎖状縦桟１及び係止用縦桟２は、複両面段ボールとし、カバーシート３は両面段ボールとしたが、これに制約されず、他の段ボール板紙で構成してもよい。サイズは、例えば、Ｌ２×Ｌ３×ｈを、２００×２００×９５（ｍｍ）の平面視正方形とした場合を例示したが、これ以外の台形や長方形、その他の多角形としてもよい。さらに、本発明の桁材は、重量用に適するが、他の用途（例えば中量用等）に適用することも可能である。
【図面の簡単な説明】
【００２９】
【図１】本発明の実施形態に係る桁材の分解状態の斜視図である。
【図２】（Ａ）は図１の連鎖状縦桟の展開斜視図、（Ｂ）はその２つ折り状態の展開斜視図である。
【図３】図１の係止用縦桟の展開斜視図である。
【図４】図３の係止用縦桟の２つ折り状態の概略斜視図である。
【図５】図２（Ｂ）の２つ折り状態の連鎖状縦桟を本発明の精神に沿って矩形枠形状に折り曲げる途中の状態を示す概略斜視図である。
【図６】本発明における段ボール板紙の２つ折り部のヒンジ部の形成状態を示す斜視図である。
【図７】本発明の桁材で製作した四方差しパレットの概略斜視図である。
【符号の説明】
【００３０】
１    連鎖状縦桟
２    係止用縦桟
３    カバーシート
４    矩形枠
５、６  対角片
７    上下両端開口部
８、９  デッキボード
１０    桁材
１６    パレット
【図１】
2007223634.tif 000003
【図２】
2007223634.tif 000004
【図３】
2007223634.tif 000005
【図４】
2007223634.tif 000006
【図５】
2007223634.tif 000007
【図６】
2007223634.tif 000008
【図７】
2007223634.tif 000009